(57)【特許請求の範囲】
【請求項１】
印刷装置であって、
印刷画像が形成された帯状の記録媒体を支持可能な支持部と、
前記支持部に支持されている前記記録媒体を加熱可能な加熱部と、
前記加熱部が稼働している状態において、前記加熱部を、前記記録媒体に対する加熱が許容されている第１状態と、前記記録媒体に対する加熱が遮られている第２状態と、に切り替える状態切替部と、
を備え、
前記状態切替部は、前記加熱部を、前記第１状態のときに前記記録媒体を加熱可能な第１位置に位置させ、前記第２状態のときに前記第１位置よりも前記記録媒体から離間している第２位置に位置させる移動部を含み、
前記加熱部は、前記第１位置において前記記録媒体の幅方向全体を加熱し、
前記加熱部は、熱風を送り出す送風部を備え、
前記状態切替部は、前記加熱部が前記第２位置に位置するときに前記送風部からの前記熱風を受ける熱風受部を備える、印刷装置。
【請求項２】
請求項１記載の印刷装置であって、
前記加熱部は、さらに、前記送風部から送り出された前記熱風の少なくとも一部を回収する回収部を備える、印刷装置。
【請求項３】
請求項２記載の印刷装置であって、
前記熱風受部は、前記加熱部が前記第１位置にあるときに前記送風部からの前記熱風を受ける前記支持部の面に相当する面を有している、印刷装置。
【発明の詳細な説明】
【技術分野】
【０００１】
本発明は、印刷装置に関する。
【背景技術】
【０００２】
印刷装置としては、記録媒体にインク滴を吐出して印刷画像を形成するインクジェットプリンターが知られている。インクジェットプリンターには、記録媒体上に吐出されたインクを加熱して乾燥させる乾燥部を有するものがある（下記特許文献１，２等）。
【先行技術文献】
【特許文献】
【０００３】
【特許文献１】特開２０１３−２０３５４４号公報
【特許文献２】特表２０１０−５３３０７６号公報
【発明の概要】
【発明が解決しようとする課題】
【０００４】
乾燥部を有するインクジェットプリンターでは、メンテナンスのためなどに印刷処理が一時的に中断される場合がある。印刷処理が一時的に中断されたときに、乾燥部の稼働を停止すると、印刷処理を再開したときに、乾燥部の有する熱源の温度が動作温度まで復帰するのに時間がかかってしまい、印刷処理の効率が低下してしまう可能性があった。一方、印刷処理が中断されている間に、乾燥部の稼働が継続されていると、記録媒体が乾燥部から余計な熱を受けて劣化してしまう可能性があった。
【課題を解決するための手段】
【０００５】
本発明は、インクジェットプリンターに限らず、少なくとも、記録媒体を加熱可能な加熱部を備える印刷装置における上述の課題を解決するためになされたものであり、以下の形態として実現することが可能である。第１の形態は、印刷装置であって、印刷画像が形成された帯状の記録媒体を支持可能な支持部と、前記支持部に支持されている前記記録媒体を加熱可能な加熱部と、前記加熱部が稼働している状態において、前記加熱部を、前記記録媒体に対する加熱が許容されている第１状態と、前記記録媒体に対する加熱が遮られている第２状態と、に切り替える状態切替部と、を備え、前記状態切替部は、前記加熱部を、前記第１状態のときに前記記録媒体を加熱可能な第１位置に位置させ、前記第２状態のときに前記第１位置よりも前記記録媒体から離間している第２位置に位置させる移動部を含み、前記加熱部は、前記第１位置において前記記録媒体の幅方向全体を加熱し、前記加熱部は、熱風を送り出す送風部を備え、前記状態切替部は、前記加熱部が前記第２位置に位置するときに前記送風部からの前記熱風を受ける熱風受部を備える、印刷装置として提供される。第２の形態は、印刷装置であって、印刷画像が形成された帯状の記録媒体を支持可能な支持部と、前記支持部に支持されている前記記録媒体を加熱可能な加熱部と、前記加熱部が稼働している状態において、前記加熱部を、前記記録媒体に対する加熱が許容されている第１状態と、前記記録媒体に対する加熱が遮られている第２状態と、に切り替える状態切替部と、を備え、前記支持部は、前記記録媒体が巻き掛かる回転ドラムであり、前記回転ドラムの前記記録媒体が巻き掛かっている部位を収容するドラム配置領域と、前記ドラム配置領域において前記回転ドラムの周方向に配列され、前記回転ドラムに向かって開口する複数の送風口を有し、前記送風口を介して前記記録媒体を加熱するための熱風を送り出す送風部と、を備え、前記状態切替部は、前記第１状態のときには前記送風口を開き、前記第２状態のときには前記送風口を閉じる開閉部を含む、印刷装置として提供される。
【０００６】
［１］本発明の一形態によれば、印刷装置が提供される。この印刷装置は、支持部と、加熱部と、状態切替部と、を備えて良い。前記支持部は、印刷画像が形成された記録媒体を支持可能であって良い。前記加熱部は、前記支持部に支持されている前記記録媒体を加熱可能であって良い。前記状態切替部は、前記加熱部が稼働している状態において、前記加熱部を、前記記録媒体に対する加熱が許容されている第１状態と、前記記録媒体に対する加熱が遮られている第２状態と、に切り替えて良い。この形態の印刷装置によれば、加熱部による記録媒体の加熱を休止する場合であっても、加熱部を第１状態から第２状態に切り替えておくことによって、その休止の間に加熱部の動作温度が低下してしまうことが抑制される。従って、加熱処理の開始後に加熱部を迅速に動作温度に到達させることができ、印刷処理が効率化される。また、第２状態においては、記録媒体が加熱部から余分な熱を受けてしまうことが抑制されるため、記録媒体の劣化が抑制される。
【０００７】
［２］上記形態の印刷装置において、前記状態切替部は、前記加熱部を、前記第１状態のときに前記記録媒体を加熱可能な第１位置に位置させ、前記第２状態のときに前記第１位置よりも前記記録媒体から離間している第２位置に位置させる移動部を含んで良い。この形態の印刷装置によれば、加熱部の第１状態から第２状態への切り替えが、加熱部の移動によって容易に行える。
【０００８】
［３］上記形態の印刷装置において、前記加熱部は、熱風を送り出す送風部を備え、前記状態切替部は、前記加熱部が前記第２位置に位置するときに前記送風部からの前記熱風を受ける熱風受部を備えて良い。この形態の印刷装置によれば、第２位置に位置しているときの加熱部からの熱風を熱風受部によって受けることができるため、送風部が送り出す熱風の熱によって印刷装置内の予期せぬ部位が劣化してしまうなどの不具合の発生が抑制される。
【０００９】
［４］上記形態の印刷装置において、前記加熱部は、さらに、前記送風部から送り出された前記熱風の少なくとも一部を回収する回収部を備えて良い。この形態の印刷装置によれば、前記送風部から送り出された熱風の熱に起因する不具合の発生が抑制される。また、回収部によって回収された熱風を循環させて記録媒体の加熱に再利用することもできる。
【００１０】
［５］上記形態の印刷装置において、前記熱風受部は、前記加熱部が前記第１位置にあるときに前記送風部からの前記熱風を受ける前記支持部の面に相当する面を有して良い。この形態の印刷装置によれば、加熱部が第２位置にあるときにも第１位置にあるときと同様に回収部によって熱風を回収することができるため、加熱部の変位による熱風の回収効率の低下が抑制される。
【００１１】
［６］上記形態の印刷装置において、前記加熱部は、送風口を介して前記記録媒体を加熱するための熱風を送り出す送風部を備え、前記状態切替部は、前記第１状態のときには前記送風口を開き、前記第２状態のときには前記送風口を閉じる開閉部を含んで良い。この形態の印刷装置によれば、加熱部の第１状態から第２状態への切り替えが、送風口の開閉によって容易に行える。
【００１２】
［７］上記形態の印刷装置は、さらに、前記状態切替部を制御する制御部を備え、前記支持部は、前記加熱部が前記第１状態のときに前記記録媒体が前記加熱部による加熱領域を通過するように、前記記録媒体を搬送可能に構成されており、前記制御部は、前記支持部による前記記録媒体の搬送が停止されるときに、前記状態切替部によって前記加熱部を前記第１状態から前記第２状態に切り替えて良い。この形態の印刷装置によれば、記録媒体の搬送が停止されているときには加熱部によって記録媒体が加熱されることが抑制されるため、記録媒体の劣化が抑制される。
【００１３】
［８］上記形態の印刷装置は、さらに、前記支持部の上流において前記記録媒体に前記印刷画像を形成し、前記支持部に搬送する記録部を備え、前記制御部は、前記支持部による前記記録媒体の搬送を制御しており、前記制御部は、前記支持部による前記記録媒体の搬送を停止するときには、前記記録部において前記記録媒体上に形成された前記印刷画像が前記加熱領域を通過した後に、前記支持部による搬送を停止し、前記状態切替部によって前記加熱部を前記第１状態から前記第２状態に切り替えて良い。この形態の印刷装置によれば、記録部において形成された印刷画像が未乾燥のまま記録媒体の搬送が停止されてしまうことが抑制され、印刷画像が保護される。
【００１４】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００１５】
本発明は、印刷以外の種々の形態で実現することも可能である。例えば、加熱装置や乾燥装置、それらの装置の制御方法、基材の加熱方法、乾燥方法、それらの方法を実現するコンピュータープログラム、そのコンピュータープログラムを記録した一時的でない記録媒体等の形態で実現することができる。
【図面の簡単な説明】
【００１６】
【図１】第１実施形態の印刷装置の構成を示す概略図。
【図２】乾燥部の構成を示す概略側面図。
【図３】乾燥部の構成を示す概略正面図。
【図４】制御部による稼働状態の切替制御のフローを示す説明図。
【図５】送風受部の機能を説明するための概略図。
【図６】第２実施形態としての印刷装置の乾燥部の構成を示す概略正面図。
【図７】送風ユニットにおける稼働状態の切替を説明するための概略図。
【発明を実施するための形態】
【００１７】
A．第１実施形態：
［印刷装置の全体構成］
図１は、本発明の第１実施形態としての印刷装置１０の構成を示す概略図である。本実施形態の印刷装置１０は、インク滴を吐出して画像を形成するインクジェット方式のラインプリンターであり、帯状の記録媒体である印刷基材１１を長手方向に搬送しつつ連続印刷を実行する。印刷基材１１としては、例えば、光沢紙や、コート紙、ラベル紙、ＯＨＰフィルムなどが用いられる。印刷基材１１としては、その他に、普通紙や、和紙、インクジェット用紙、布地などが用いられても良い。
【００１８】
印刷装置１０は、制御部１２と、複数の搬送ローラー１３と、基材繰出部２０と、印刷部３０と、乾燥部４０と、基材巻取部５０と、を備えている。制御部１２は、中央処理装置と主記憶装置とを備えるマイクロコンピューターによって構成されており、印刷装置１０の各構成部を制御可能である。具体的には、制御部１２は、印刷装置１０における印刷基材１１の搬送や、印刷部３０における印刷画像の形成、乾燥部４０の稼働を制御可能である。特に、本実施形態では、制御部１２は、印刷処理が一時的に中断されたときの乾燥部４０における送風ユニット４１の稼働状態の切り替えを制御可能である（詳細は後述）。
【００１９】
複数の搬送ローラー１３は、印刷装置１０において印刷基材１１の搬送路を構成する。各搬送ローラー１３は、基材繰出部２０と印刷部３０と乾燥部４０と基材巻取部５０とに適宜配置されている。図１には、印刷画像が形成されるときの印刷基材１１の搬送方向を示す矢印ＰＤが図示されている。本明細書において、「上流」または「下流」と呼ぶときは、印刷画像が形成されるときの印刷基材１１の搬送方向を基準としている。
【００２０】
基材繰出部２０は、印刷基材１１がロール状に巻かれている基材ローラー２１を備えている。基材ローラー２１は制御部１２によって制御されているモーター（図示は省略）によって所定の回転速度で回転し、印刷基材１１を下流に位置する印刷部３０に繰り出す。
【００２１】
印刷部３０は、回転ドラム３１と、印刷ヘッド部３２と、を備え、印刷基材１１の印刷面に印刷画像を形成する。印刷部３０は、記録部に相当する。回転ドラム３１は、制御部１２によって制御されているモーター（図示は省略）によって所定の回転速度で回転し、その円周側面において印刷基材１１を支持しつつ印刷基材１１を搬送する。
【００２２】
印刷ヘッド部３２は、異なる色のインクを吐出する複数の印刷ヘッド３３を有している。各印刷ヘッド３３は、印刷基材１１の幅方向にインク滴を吐出可能なノズルが配列されているラインヘッドである。各印刷ヘッド３３は、回転ドラム３１の円周側面に沿って印刷基材１１の搬送方向に配列されている。各印刷ヘッド３３は、制御部１２の指令に応じたタイミングとサイズで回転ドラム３１によって搬送されていく印刷基材１１の印刷面にインク滴を吐出して印刷画像を形成する。
【００２３】
乾燥部４０は、印刷部３０の下流に位置している。乾燥部４０は、送風ユニット４１と、回転ドラム４２と、を備えている。乾燥部４０は、回転ドラム４２によって支持された状態で搬送されていく印刷基材１１の印刷面を送風ユニット４１から送り出す熱風によって加熱し、印刷面に吐出されたインクを乾燥させる。また、乾燥部４０は、送り出した熱風を回収して印刷基材１１の乾燥に再利用する。その他に、乾燥部４０は、印刷装置１０の印刷処理が一時的に中断されるときなどに、送風ユニット４１の稼働状態を切り替えることができる機構を有している。乾燥部４０の構成の詳細については後述する。
【００２４】
基材巻取部５０は、乾燥部４０の下流に位置している。基材巻取部５０は、制御部１２の指令に応じた所定の回転速度で回転駆動する巻取ローラー５１を備える。巻取ローラー５１は、乾燥部４０から繰り出された印刷基材１１を巻き取る。以上の構成により、印刷装置１０は印刷基材１１に対する印刷を連続的に実行する。
【００２５】
［乾燥部の構成］
（１）概要
以下では、まず、乾燥部４０による印刷基材１１の乾燥機構の説明のために、図２，図３を参照して、乾燥部４０における回転ドラム４２および送風ユニット４１の構成を説明する。その後に、図２，図３に加えて、適宜、図４，図５を参照し、乾燥部４０における送風ユニット４１の稼働状態の切替機構および制御部１２によるその稼働状態の切替制御を説明する。
【００２６】
（２）乾燥部による印刷基材の乾燥機構
（２．１）参照図の説明
図２，図３を参照して、乾燥部４０の構成を説明する。図２は、乾燥部４０を矢印Ｘの逆方向に見たときの概略側面図である。図３は、乾燥部４０を、矢印Ｙの方向に見たとき（乾燥部４０の背面側から見たとき）の概略正面図である。図２では、送風ユニット４１については、図３に示されているＢ−Ｂ切断における概略断面構成が図示されている。同様に、図３では、送風ユニット４１については、図２に示されているＡ−Ａ切断における概略断面構成が図示されている。図２，図３には、送風ユニット４１内における空気の流れを示す矢印ＡＦａ，ＡＦｂ，ＲＦａ，ＲＦｂ，ＲＦｃが図示されている。図２では、便宜上、ドラム駆動部４３の図示は省略されている。
【００２７】
図２，図３には直交する三方向を示す矢印Ｘ，Ｙ，Ｚが図示されている。矢印Ｘは、乾燥部４０の送風ユニット４１の横方向（幅方向）に平行な方向を示しており、矢印Ｘは送風ユニット４１の正面側に正対したときに左側から右側に向かう方向を示している。矢印Ｙは、送風ユニット４１の前後方向（奥行き方向）に平行な方向を示しており、送風ユニット４１の背面側から正面側に向かう方向を示している。送風ユニット４１の正面側は、送風ユニット４１が熱風を吹き出す側（回転ドラム４２と対向する側）であり、送風ユニット４１の背面側はその反対側である。矢印Ｚは、送風ユニット４１の高さ方向に平行な方向を示しており、重力方向とは反対の方向を示している。矢印Ｘ，Ｙ，Ｚは、以下の説明において参照される各図においても同様に図示されている。
【００２８】
（２．２）回転ドラム
回転ドラム４２は本発明における支持部に相当する。回転ドラム４２は、その回転軸ＤＸが矢印Ｘの方向と平行になるようにドラム駆動部４３の回転軸部４３ｓに支持されている（図３）。ドラム駆動部４３は、モーター（図示は省略）を備えており、モーターの駆動力によって制御部１２からの指令に応じた回転速度で回転ドラム４２を回転させる。
【００２９】
本実施形態では、印刷基材１１は、印刷画像が形成されている印刷面の裏側の面が円周側面４２ｓのほぼ半周分の領域に面接触する状態で、回転ドラム４２に巻き掛けられて搬送される（図２）。印刷基材１１は、回転ドラム４２に対して矢印Ｙの方向に繰り入れられ、回転ドラム４２において搬送方向が反転されて、回転ドラム４２から矢印Ｙの逆方向に繰り出される。
【００３０】
（２．３）送風ユニット
送風ユニット４１は、本発明における加熱部に相当する。送風ユニット４１は、印刷装置１０において印刷処理が実行されているときには、回転ドラム４２に巻き掛けられている印刷基材１１の印刷面に向かって熱風を吹き付けることが可能なように、回転ドラム４２に正対して配置される（図２）。より具体的には、送風ユニット４１は、正面側に設けられた熱風が送り出される凹部空間であるドラム配置領域６８（後述）に回転ドラム４２における印刷基材１１が巻き掛けられている部位を収容するように配置される。
【００３１】
送風ユニット４１は、隔壁によって内部が複数の空間に区画されている。送風ユニット４１の内部には、加熱送風室６０と、排気回収室６１と、循環空気調整室６２と、が設けられている。加熱送風室６０は、送風ファン部６３と、熱源部６４と、ノズル部６５と、を備えている。送風ファン部６３は、加熱送風室６０の矢印Ｙの方向側（後方）に配置されており、矢印Ｙの逆方向側（前方）に向かって気流を発生させる（矢印ＡＦａ）。送風ファン部６３は、例えば、ブロワーファンによって構成される。熱源部６４は、送風ファン部６３の前方に配置されている。熱源部６４は、気流を透過可能に構成されており、送風ファン部６３によって生成された気流を加熱する。熱源部６４は、例えば、メッシュ状や柵状に配列された電熱線によって構成される。
【００３２】
ノズル部６５は、送風部に相当し、熱源部６４の前方に設けられている。熱源部６４において加熱された気流は熱風としてノズル部６５から送風ユニット４１の外部へと送り出される。ノズル部６５は、加熱送風室６０の正面側の隔壁である正面隔壁６６に熱風の送風口である複数のスリット６７が配列された構成を有している。正面隔壁６６は、回転ドラム４２の印刷基材１１が巻きか掛かっている部位を収容可能な凹部空間であるドラム配置領域６８を形成するように後方に窪んでいる。本実施形態では、正面隔壁６６は、回転ドラム４２の円周側面４２ｓに沿って略半円状に湾曲している。正面隔壁６６は、回転ドラム４２の円周側面４２ｓに沿って複数の平面が配列されるように屈曲している構成を有していても良い。
【００３３】
各スリット６７は、ドラム配置領域６８の中央（ドラム駆動部４３の回転軸部４３ｓ）に向かって開口するように印刷基材１１の搬送方向に所定の間隔で配列されている（図２）。また、各スリット６７は、印刷基材１１の幅方向全体にわたって熱風を吹き付けることが可能なように、正面隔壁６６において矢印Ｘの方向に延びている（図３）。印刷装置１０において印刷処理が実行されるときには、ドラム配置領域６８内において回転ドラム４２によって搬送されていく印刷基材１１の印刷面全体に各スリット６７から熱風が万遍なく吹き付けられる（矢印ＡＦｂ）。従って、熱風による印刷基材１１の加熱効率が高められている。また、本実施形態では、熱風が正面隔壁６６に囲まれた空間内に送り出されるため、熱が加熱領域であるドラム配置領域６８の外部に逃げてしまうことが抑制されている。従って、印刷基材１１の加熱効率がさらに高められている。
【００３４】
排気回収室６１は、送風ユニット４１の正面側に設けられている（図２）。排気回収室６１は、送風ユニット４１を矢印Ｙの方向に見たときに、矢印Ｘの方向において加熱送風室６０の両側に位置する２つの側方空間６１ｓと、加熱送風室６０の上方に位置する上方空間６１ｕと、を有する（図３）。２つの側方空間６１ｓは、加熱送風室６０の側壁部７１と、送風ユニット４１の側方の外壁部７２と、の間の空間である。上方空間６１ｕは、加熱送風室６０の上方壁部７４と、送風ユニット４１の上方の上方外壁部７５と、の間の空間である。上方空間６１ｕは、矢印Ｘの方向における両端において２つの側方空間６１ｓとつながっている。
【００３５】
各側方空間６１ｓには、ドラム配置領域６８に向かって開口する開口部７３が形成されている。開口部７３は、回転ドラム４２における印刷基材１１の搬送方向に沿って延びる開口形状を有している。開口部７３の開口端部を構成する送風ユニット４１の外壁部７２は、正面側の端面にドラム配置領域６８に合わせて矢印Ｙの方向に窪んでいる窪み部７２ｒを有している（図２において破線で図示）。排気回収室６１は、ノズル部６５からドラム配置領域６８内に送り出された熱風を回収する回収部として機能し、排気回収室６１の開口部７３はその吸気口として機能する。
【００３６】
循環空気調整室６２は、排気回収室６１の後方に位置するとともに、加熱送風室６０の上方に位置している。循環空気調整室６２は、連通孔７６を介して排気回収室６１と連通し、ダクト７７を介して加熱送風室６０と連通している。ダクト７７は、加熱送風室６０における送風ファン部６３の後方において開口している。このように、本実施形態の送風ユニット４１では、加熱送風室６０と排気回収室６１と循環空気調整室６２とは連通している。これによって、以下のような空気の循環経路が構成されている。
【００３７】
加熱送風室６０からドラム配置領域６８に送り出された熱風は、加熱送風室６０における送風ファン部６３によって生じる負圧によって、排気回収室６１の開口部７３から排気回収室６１の側方空間６１ｓ内に吸引される（矢印ＲＦａ）。そして、排気回収室６１の上方空間６１ｕへと流れ（矢印ＲＦｂ）、循環空気調整室６２を経て、加熱送風室６０へと戻される（矢印ＲＦｃ）。本実施形態の送風ユニット４１では、この加熱空気の循環によって、熱源部６４の負荷が低減されており、加熱効率が高められている。
【００３８】
循環空気調整室６２には、循環空気の湿度と温度とを調整する機能がある。循環空気調整室６２には、外気導入ダクト７８と、排気ダクト７９と、が接続されている。循環空気は、循環空気調整室６２において、外気導入ダクト７８から導入される外気と混合されるとともに、一部が排気ダクト７９を介して外部に排気される。これによって、循環空の湿度と温度とが低下する。循環空気の湿度と温度とは、外気導入ダクト７８および排気ダクト７９に設けられているポンプ（図示は省略）の回転数によって調整される。循環空気の湿度が低下されることによって、循環空気の湿度の増大による印刷基材１１の乾燥効率の低下が抑制される。循環空気の温度が低下されることによって、循環空気の温度が送風ファン部６３の耐熱温度を超えてしまうことが抑制され、送風ファン部６３の劣化が抑制される。
【００３９】
ここで、上述したように、本実施形態の送風ユニット４１では、熱風を送り出すスリット６７がドラム配置領域６８を囲むように印刷基材１１の搬送方向に沿って配列され、その外側に熱風を取り入れるための排気回収室６１の開口部７３が配置されている。これによって、加熱領域であるドラム配置領域６８から外部へと散逸する熱風を効率的に回収することができる。また、回転ドラム４２の円周側面４２ｓに対向する領域全体をスリット６７の形成領域として利用することができるため、熱風による印刷基材１１の加熱効率が高められている。加えて、開口部７３が加熱領域の外側に配置されているため、加熱領域に存在する熱い空気を吸引してしまうことが抑制されている。このように、スリット６７と開口部７３とがそれぞれ別々の領域に形成されていることによって、熱風を吹き出すスリット６７の機能と熱風を回収する開口部７３の機能とが干渉することが抑制されている。従って、印刷基材１１の加熱効率の向上と、熱風の回収効率の向上とが両立される。
【００４０】
その他に、本実施形態の送風ユニット４１では、熱風を生成して送り出す熱風の流路として機能する加熱送風室６０と、開口部７３から吸引された熱風の流路である吸気流路として機能する排気回収室６１と循環空気調整室６２とが隣り合って配置されている。このように、高温の気体流路同士がコンパクトにまとめられていることによって、空気の昇温効率が高められている。また、本実施形態の送風ユニット４１では、開口部７３に流入する空気の流量である吸気流量ＱＡが、各スリット６７から送り出される熱風の流量の合計である送風流量ＱＢよりも大きくなるように調整されている。具体的には、送風ファン部６３の吸気口の開口面積（ダクト７７の開口面積）よりも、排気回収室６１から当該吸気口に至るまでの空気流路の断面積の方が大きくなるように構成されている。また、循環空気調整室６２に補助ファン６９が設けられている。これによって、送風ユニット４１における空気の循環効率を高められている。
【００４１】
以上のように、本実施形態の乾燥部４０では、送風ユニット４１からの熱風の吹き付けによって回転ドラム４２によって支持されて搬送されていく印刷基材１１の乾燥が実行される。本実施形態の送風ユニット４１では、熱風による印刷基材１１の加熱効率と、熱風の回収効率と、が高められている。
【００４２】
（３）送風ユニットの稼働状態の切替機構および制御部によるその切替制御
印刷装置１０では、例えばメンテナンスなどのために印刷処理が中断され、印刷基材１１の搬送が一時的に停止される場合がある。印刷装置１０では、印刷処理が再開されたときに乾燥部４０が効率的に復帰できるように、制御部１２の制御下において、送風ユニット４１の稼働を停止することなく、送風ユニット４１の稼働状態を切り替える。以下に、乾燥部４０における送風ユニット４１の稼働状態の切替のための機構と、制御部１２によるその稼働状態の切替制御と、を説明する。
【００４３】
本実施形態の乾燥部４０では、送風ユニット４１が変位可能に構成されている（図２，図３）。送風ユニット４１は、その底面に滑車８１を有しており、その滑車８１は、矢印Ｘに平行な方向に延びるように配設されたレール４４に嵌め込まれている。送風ユニット４１は、制御部１２の制御下にあるモーターなどの駆動力源８０から無端ベルトなどを介して伝達される駆動力によって、レール４４の上を直線的に往復移動する。送風ユニット４１は、回転ドラム４２がドラム配置領域６８内の中央に収容される第１位置から、回転ドラム４２がドラム配置領域６８から離れる第２位置までの区間を移動可能である。図３では、第２位置に位置するときの送風ユニット４１が破線で図示されている。
【００４４】
乾燥部４０の第２位置には、送風受部４５が設けられている。送風受部４５は、熱風受部に相当し、ドラム状部材４６と、支柱部４７と、を有する。ドラム状部材４６は、回転ドラム４２とほぼ同じ形状を有する円柱状部材である。ドラム状部材４６は、耐熱性の高い樹脂や金属によって構成される。ドラム状部材４６は、支柱部４７によって、回転ドラム４２とほぼ同じ高さ位置に、ほぼ同じ配置角度で支持されている。送風ユニット４１が第２位置に移動したときには、ドラム状部材４６は、送風ユニット４１のドラム配置領域６８に、第１位置における回転ドラム４２と同じ位置に収容される。送風受部４５の機能については後述する。
【００４５】
図４は、制御部１２による稼働状態の切替制御のフローを示す説明図である。制御部１２は、印刷処理の実行中には、送風ユニット４１を第１位置に移動させ、送風ユニット４１に回転ドラム４２によって搬送されている印刷基材１１の加熱を実行させる（ステップＳ１０）。印刷処理の実行中に、制御部１２は、ユーザーによる指令やエラーの発生により、印刷処理を中断し、印刷基材１１の搬送を停止する外部的指令や内部的指令を受信する場合がある（ステップＳ２０）。こうした指令を受信したときには、制御部１２は、以下の処理によって、送風ユニット４１の稼働を停止させることなく、送風ユニット４１を第２位置に移動させて回転ドラム４２から遠ざける（ステップＳ３０〜Ｓ５０）。本明細書において「送風ユニット４１の稼働の停止」とは、少なくとも熱源部６４の昇温機能が停止されている状態を意味している。
【００４６】
制御部１２は、ステップＳ３０において、未乾燥の印刷画像を検出し、当該未乾燥の印刷画像が乾燥部４０を通過し終えるまで、印刷基材１１の搬送と送風ユニット４１による加熱とを継続する。制御部１２は、印刷部３０において印刷画像が形成された時刻を記憶しており、その時刻と、印刷基材１１の搬送速度とに基づいて、印刷処理が中断される前に印刷部３０において形成され、乾燥部４０を通過する前の未乾燥の印刷画像の存在を検出する。そして、制御部１２は、印刷基材１１の搬送速度に基づいて、未乾燥の印刷画像が乾燥部４０を通過し終える時刻を算出し、算出した時刻まで送風ユニット４１による印刷基材１１の加熱を継続する。
【００４７】
制御部１２は、その時刻が経過したときに未乾燥の印刷画像が乾燥部４０を通過したものとして、印刷基材１１の搬送を停止し（ステップＳ４０）、送風ユニット４１を第２位置に移動させる（ステップＳ５０）。これによって、印刷部３０において形成された印刷画像が印刷処理の中断によって無駄になってしまうことが抑制される。
【００４８】
ユーザーからの指令等により印刷処理が再開されるまで、制御部１２は送風ユニット４１の第２位置での稼働を継続させる（ステップＳ６０）。印刷処理が再開されると、制御部１２は、送風ユニット４１を第１位置に戻し、印刷基材１１の加熱を再開可能にする（ステップＳ７０）。このように、印刷処理が中断されたときに、送風ユニット４１の稼働を停止させることなく待避させておくことによって、印刷処理が再開されたときに、送風ユニット４１を動作温度まで昇温させる時間を短縮できる。従って、乾燥部４０を復帰動作の効率が高められる。また、搬送が停止されている状態の印刷基材１１が送風ユニット４１からの熱風に曝され続けて劣化してしまうことが抑制される。
【００４９】
第１位置に位置するときの送風ユニット４１の稼働状態は、印刷基材１１に対する加熱が許容されている第１状態であると解釈できる。また、第２位置に位置するときの稼働状態は、印刷基材１１に対する加熱が遮られている第２状態であると解釈できる。本実施形態においては、乾燥部４０が備えるレール４４や、駆動力源８０、滑車８１などの送風ユニット４１を移動させるための移動部が送風ユニット４１の稼働状態を第１状態と第２状態とに切り替える状態切替部に相当する。
【００５０】
図５は送風受部４５の機能を説明するための概略図である。図５の（Ａ），（Ｂ）欄にはそれぞれ、第２位置に位置しているときの送風ユニット４１の状態が図示されている。図５の（Ａ）欄には矢印Ｙの方向に見たときの送風ユニット４１と送風受部４５とが図示されており、（Ｂ）欄には矢印Ｘの逆方向に見たときのドラム配置領域６８の様子が図示されている。図５の（Ａ），（Ｂ）欄には空気の流れを示す矢印が図２，図３と同様に図示されている。
【００５１】
上述したように、送風ユニット４１が第２位置に位置するときには、ドラム配置領域６８内には、送風受部４５のドラム状部材４６が第１位置における送風ユニット４１に対する回転ドラム４２と同様な位置に配置される。ドラム状部材４６は回転ドラム４２とほぼ同じ構成を有しており、送風受部４５の熱風を受ける面である回転ドラム４２の円周側面４２ｓに相当する円周側面４６ｓを有している。そのため、送風ユニット４１が第２位置に位置するときにも、送風ユニット４１における空気の流れは、第１位置に位置するときからほぼ変化しない。
【００５２】
このように、本実施形態の乾燥部４０では、送風受部４５を有することによって、第２位置においても送風ユニット４１における循環空気の流れが第１位置に位置するときと同様に維持される。従って、回転ドラム４２から離れることによる送風ユニット４１による加熱状態の変化が抑制され、印刷処理が再開されたときの送風ユニット４１の復帰が円滑化される。また、第２位置に位置しているときにも、送風ユニット４１における熱風の回収効率の低下が抑制されるため、送風ユニット４１から発せられる熱によって、印刷装置１０内において予期せぬ温度上昇が生じてしまうことが抑制される。従って、熱による印刷装置１０の劣化が抑制される。
【００５３】
［第１実施形態のまとめ］
以上のように、第１実施形態の印刷装置１０によれば、乾燥部４０の送風ユニット４１の熱風による加熱効率と熱風の回収効率とが高められており、印刷基材１１の乾燥処理の処理効率が高められている。また、第１実施形態の印刷装置１０では、乾燥部４０における乾燥処理が中断される場合に、送風ユニット４１が、回転ドラム４２に支持されている印刷基材１１から離れた第２位置において加熱状態を維持するため、乾燥処理を迅速に開始することができる。また、印刷処理の中断中に回転ドラム４２に支持されている印刷基材１１が熱に曝されて劣化してしまうことが抑制される。
【００５４】
B．第２実施形態：
図６は本発明の第２実施形態としての印刷装置の乾燥部４０Ａを矢印Ｙの方向に見たときの概略正面図である。図６では送風ユニット４１Ａの概略断面構成が第１実施形態において参照した図２と同様に図示されている。第２実施形態の印刷装置の構成は、乾燥部４０Ａの構成が異なっている点以外は、第１実施形態の印刷装置１０（図１）とほぼ同じである。第２実施形態の乾燥部４０Ａおよび送風ユニット４１Ａの構成は、以下に説明する点以外は、第１実施形態とほぼ同じである。また、第２実施形態における制御部１２による送風ユニット４１Ａの稼働状態の切替制御は、第１実施形態で説明したのと同様である（図４）。
【００５５】
第２実施形態の乾燥部４０Ａでは、送風ユニット４１Ａを変位させるための移動部を備えていない。第２実施形態の乾燥部４０Ａでは、送風ユニット４１Ａは、第１実施形態において説明した第１位置に相当する位置、すなわち、回転ドラム４２がドラム配置領域６８内に収容される位置に設置されている。第２実施形態の乾燥部４０Ａでは、送風ユニット４１Ａが以下の構成を有することによって、送風ユニット４１Ａの稼働を停止することなく、その稼働状態を変更可能である。
【００５６】
送風ユニット４１Ａは、加熱送風室６０内に、ノズル開閉板８３と、バイパス連通孔８４と、連通孔開閉板８５と、サイドレール８６を備える。ノズル開閉板８３は、ノズル部６５の各スリット６７に対応する位置において正面隔壁６６にヒンジ部を介して取り付けられている。ノズル開閉板８３は、制御部１２の制御下で駆動するソレノイド機構（図示は省略）によって回動し、対応するスリット６７を開閉する。
【００５７】
バイパス連通孔８４は、加熱送風室６０の側壁部７１の貫通孔として設けられており、加熱送風室６０と排気回収室６１の側方空間６１ｓとを連通する。連通孔開閉板８５は、側壁部７１に面接触した状態でスライド移動が可能なようにサイドレール８６に保持されている。連通孔開閉板８５は、制御部１２の制御下で駆動するモーター（図示は省略）の駆動力によって移動し、バイパス連通孔８４を開閉する。
【００５８】
制御部１２は、印刷基材１１の乾燥処理を実行するときには、各スリット６７を開いた状態にするとともに、バイパス連通孔８４を閉じた状態にする。これによって、送風ユニット４１は、第１実施形態で説明したのと同様な空気の流れによって、回転ドラム４２に支持されている印刷基材１１の印刷面に熱風を送り出すことが可能である。
【００５９】
図７は、送風ユニット４１Ａにおける稼働状態の切替を説明するための概略図である。図７には、矢印Ｘの逆方向に見たときの送風ユニット４１Ａにおけるノズル部６５およびバイパス連通孔８４の近傍領域が図示されている。また、図７には、送風ユニット４１Ａにおける空気の流れを示す矢印が図示されている。
【００６０】
印刷処理が中断されて、印刷基材１１の搬送を停止するときには、制御部１２は、送風ユニット４１Ａの稼働を停止することなく、ノズル開閉板８３を回動させてノズル部６５の各スリット６７を閉じた状態にする。また、連通孔開閉板８５を移動させて、各バイパス連通孔８４を開いた状態にする。これによって、加熱送風室６０において生成された加熱された気流はスリット６７からの流出が遮断され、バイパス連通孔８４を介して排気回収室６１へと流れることになる。つまり、回転ドラム４２に支持されている印刷基材１１に対する加熱が遮られたまま、内部において熱風が循環される状態に切り替わる。
【００６１】
第２実施形態では、各スリット６７が開かれ各バイパス連通孔８４が閉じられている送風ユニット４１Ａの稼働状態が、印刷基材１１に対する加熱が許容されている第１状態であると解釈できる。また、各スリット６７が閉じられ、各バイパス連通孔８４が開かれている状態が、印刷基材１１に対する加熱が遮られている第２状態であると解釈できる。第２実施形態では、少なくとも、ノズル開閉板８３によるスリット６７の開閉部が、送風ユニット４１Ａの稼働状態を第１状態と第２状態とに切り替える状態切替部に相当する。
【００６２】
印刷処理が再開されるときには、制御部１２は、ノズル開閉板８３を回動させて各スリット６７を開き、連通孔開閉板８５を移動させて各バイパス連通孔８４を閉じ、回転ドラム４２に支持されている印刷基材１１に対する加熱処理を再開する。このように、送風ユニット４１Ａは、印刷処理が再開されるまで稼働を継続するため、印刷処理が再開されたときに迅速に加熱処理を再開することができる。また、第１実施形態の送風ユニット４１のように移動しないため、より迅速に加熱処理を再開できる。
【００６３】
第２実施形態の乾燥部４０Ａでは、第１実施形態と同様に、印刷処理が中断されている間に印刷基材１１が送風ユニット４１Ａによる加熱に曝されることが抑制されるため、印刷基材１１の劣化が抑制される。印刷処理の停止中における印刷基材１１の加熱をより確実に遮断するためには、ノズル開閉板８３や正面隔壁６６が断熱性の高い材料によって構成されていることが望ましい。あるいは、ノズル開閉板８３や正面隔壁６６の内部や表層に断熱層が設けられることが望ましい。
【００６４】
以上のように、第２実施形態の印刷装置によれば、印刷基材１１の搬送が停止されるときに、熱風の流れを変更することによって、印刷基材１１に対する加熱処理を停止することができるため、その稼働を停止することなく待機することができる。従って、乾燥部４０Ａにおける加熱処理を効率的に再開できる。また、第２実施形態の印刷装置によれば、送風ユニット４１Ａの移動のための空間を省略できるため、第１実施形態の印刷装置よりも小型化できる。その他に、第２実施形態の印刷装置によれば、第１実施形態の印刷装置と同様な作用効果を奏することができる。
【００６５】
C．変形例：
C1．変形例１：
上記各実施形態の印刷装置では、帯状の印刷基材１１に対する連続印刷を実行している。これに対して、上記各実施形態の印刷装置では、帯状の印刷基材１１以外の規定のサイズを有する単体の印刷用紙などを記録媒体として印刷処理を実行しても良い。
【００６６】
C2．変形例２：
上記の各実施形態の印刷装置は、インクジェット方式のラインプリンターとして構成されている。これに対して、上記の各実施形態の印刷装置は、ラインプリンターとして構成されていなくても良く、インク滴を吐出する印刷ヘッドが往復移動して印刷画像を形成するシリアルプリンターとして構成されても良い。また、上記の各実施形態の印刷装置は、インクジェット方式のプリンターに限定されることはなく、例えば、印画紙の露光によって印刷画像を形成するタイプのプリンターとして構成されていても良い。この場合には、乾燥部４０，４０Ａは、印画紙に付着した現像液を乾燥するものとしても良い。
【００６７】
C3．変形例３：
上記各実施形態の乾燥部４０，４０Ａは、回転ドラム４２によって支持されて搬送されていく印刷基材１１を加熱している。これに対して、乾燥部４０，４０Ａは、回転ドラム４２以外の記録媒体の支持部を備え、搬送されることなく固定的に支持された状態の記録媒体を加熱する構成であっても良い。
【００６８】
C4．変形例４：
上記の各実施形態の乾燥部４０，４０Ａは、送風ファン部６３によって発生した気流を加熱した熱風によって印刷基材１１を加熱している。これに対して、乾燥部４０，４０Ａは、熱風を用いることなく、熱源部６４による加熱によって印刷基材１１を加熱する構成であっても良い。
【００６９】
C5．変形例５：
上記の第１実施形態では、乾燥部４０は第２位置に送風受部４５を備えている。これに対して、乾燥部４０は第２位置に送風受部４５を備えていなくても良い。あるいは、乾燥部４０は回転ドラム４２とは異なる形状（例えば、平板状の形状）を有する部材によって送風ユニット４１の熱風を受ける送風受部を第２位置に有していても良い。
【００７０】
C6．変形例６：
上記の各実施形態の送風ユニット４１，４１Ａは、排気回収室６１や循環空気調整室６２を備えており、ノズル部６５から送り出した熱風を回収して循環させている。これに対して、送風ユニット４１，４１Ａは、排気回収室６１や循環空気調整室６２を備えていなくても良く、ノズル部６５から送り出した熱風を回収しなくても良い。あるいは、送風ユニット４１，４１Ａは、回収した熱風を加熱送風室６０に戻すことなく、全て外部に排出する構成を有していても良い。
【００７１】
C7．変形例７：
上記の各実施形態の送風ユニット４１，４１Ａは、ノズル部６５のスリット６７に囲まれている凹部空間であるドラム配置領域６８を有している。これに対して、上記の各実施形態の送風ユニット４１，４１Ａは、凹部空間として形成されたドラム配置領域６８を有していなくても良い。送風ユニット４１，４１Ａは、例えば、平板状の正面隔壁にスリットが配列されているノズル部を有していても良い。
【００７２】
C8．変形例８：
上記の各実施形態では、制御部１２は、印刷処理の実行中に送風ユニット４１，４１Ａの稼働状態を第１状態とし、印刷処理が一時的に中断されるときに、第２状態に切り替えている。これに対して、制御部１２は、印刷処理が一時的に中断されるとき以外のタイミングで、送風ユニット４１，４１Ａの稼働状態の切り替えを実行しても良い。例えば、制御部１２は、印刷処理の実行中に送風ユニット４１，４１Ａを第１状態とし、当該印刷処理が完了して、次の印刷処理が開始されるまでのインターバル時間の間に送風ユニット４１，４１Ａを第２状態に切り替えても良い。あるいは、制御部１２は、送風ユニット４１，４１Ａの起動時に送風ユニット４１，４１Ａを第２状態にしておき、送風ユニット４１，４１Ａの動作温度が所定の温度より高くなったときに第１状態に切り替えても良い。また、上記の各実施形態において、制御部１２は乾燥部４０，４０Ａにおいて未乾燥の印刷画像の乾燥処理が完了された後に送風ユニット４１，４１Ａの稼働状態を第２状態に切り替えている。これに対して、制御部１２は、未乾燥の印刷画像を検出することなく、印刷基材１１の搬送を停止する指令を受信したときに直ちに送風ユニット４１，４１Ａの稼働状態を第２状態に切り替えても良い。
【００７３】
C9．変形例９：
上記の各実施形態の印刷装置では、制御部１２の制御によって、乾燥部４０，４０Ａにおける送風ユニット４１，４１Ａの稼働状態が切り替えられている。これに対して、各実施形態の印刷装置では、制御部１２の制御によらずに、乾燥部４０，４０Ａにおける送風ユニット４１，４１Ａの稼働状態が切り替えられても良い。送風ユニット４１，４１Ａは、ユーザーの直接的な操作によってその稼働状態が切り替えられても良いし、印刷基材１１の搬送の停止に連動して自動的に稼働状態が第１状態から第２状態に切り替えられても良い。
【００７４】
C10．変形例１０：
上記第１実施形態では、送風ユニット４１は、レール４４や滑車８１を移動部として備えている。これに対して、送風ユニット４１は、レール４４や滑車８１以外の移動部を備えていても良い。送風ユニット４１は、例えば、油圧等によって伸縮する伸縮シャフトによって移動する移動部を備えていても良い。また、上記第１実施形態では、送風ユニット４１は、回転ドラム４２の矢印Ｘに平行な方向に移動している。これに対して、送風ユニット４１は、矢印Ｙの方向や、矢印Ｚの方向など、回転軸ＤＸに交差する方向に移動しても良い。上記実施形態では、送風ユニット４１は、第１位置と第２位置との間を一方向の直線移動によって移動している。これに対して、送風ユニット４１は、第１位置と第２位置との間において、複数の方向に移動方向を変更しながら移動しても良いし、曲線的に移動しても良い。
【００７５】
C11．変形例１１：
上記第２実施形態では、送風ユニット４１Ａは、ヒンジ機構によって回動するノズル開閉板８３をスリット６７の開閉部として備えている。これに対して、送風ユニット４１Ａは、連通孔開閉板８５のようにスライド移動するノズル開閉板をスリット６７の開閉部として備えていても良いし、他の構成のスリット６７の開閉部を備えていても良い。また、上記第２実施形態の送風ユニット４１Ａにおいて、バイパス連通孔８４および連通孔開閉板８５は省略されても良い。
【００７６】
C12．変形例１２：
上記の各実施形態では、印刷部３０は、回転ドラム３１を備えており、回転ドラム３１をプラテンとして印刷基材１１に印刷ヘッド３３からインク滴を吐出している。これに対して、印刷部３０は、回転ドラム３１を備えていなくても良く、例えば、水平に張り渡されて搬送されていく印刷基材１１に対して印刷ヘッド３３からインク滴を吐出する構成を有していても良い。
【００７７】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００７８】
１０…印刷装置
１１…印刷基材
１２…制御部
１３…搬送ローラー
２０…基材繰出部
２１…基材ローラー
３０…印刷部
３１…回転ドラム
３２…印刷ヘッド部
３３…印刷ヘッド
４０，４０Ａ…乾燥部
４１，４１Ａ…送風ユニット
４２…回転ドラム
４２ｓ…円周側面
４３…ドラム駆動部
４４…レール
４５…送風受部
４６…ドラム状部材
４６ｓ…円周側面
４７…支柱部
５０…基材巻取部
５１…巻取ローラー
６０…加熱送風室
６１…排気回収室
６２…循環空気調整室
６３…送風ファン部
６４…熱源部
６５…ノズル部
６６…正面隔壁
６７…スリット
６８…ドラム配置領域
６９…補助ファン
７１…側壁部
７２…外壁部
７３…開口部
７４…上方壁部
７５…上方外壁部
７６…連通孔
７７…ダクト
７８…外気導入ダクト
７９…排気ダクト
８０…駆動力源
８１…滑車
８３…ノズル開閉板
８４…バイパス連通孔
８５…連通孔開閉板
８６…サイドレール
【図１】
0006464680.tif 000002
【図２】
0006464680.tif 000003
【図３】
0006464680.tif 000004
【図４】
0006464680.tif 000005
【図５】
0006464680.tif 000006
【図６】
0006464680.tif 000007
【図７】
0006464680.tif 000008